(57)【要約】【課題】表示パネルの輝度劣化を抑えつつ、離れた位置から撮像装置が起動済みであることを確認できるようにする。【解決手段】撮像装置は、接眼可能なファインダと、ファインダに物体が近付いたことを検出するための近接検出手段と、近接検出手段により、ユーザがファインダを覗いているか否かを判定する近接判定手段と、ファインダに輝度を反映させるファインダ輝度制御手段とを有し、近接判定手段によりユーザがファインダを覗いていないと判定された場合には、第一の輝度より低い輝度となる第二の輝度を輝度制御手段がファインダに反映させる。【選択図】図１
2019075634.tif 000002
【特許請求の範囲】
【請求項１】
接眼可能なファインダと、
前記ファインダに物体が近付いたことを検出するための近接検出手段と、
前記近接検出手段により、ユーザが前記ファインダを覗いているか否かを判定する近接判定手段と、
前記ファインダに輝度を反映させるファインダ輝度制御手段と
を有し、
前記近接判定手段によりユーザが前記ファインダを覗いていないと判定された場合には、第一の輝度より低い輝度となる第二の輝度を前記輝度制御手段が前記ファインダに反映させることを特徴とする撮像装置。
【請求項２】
前記撮像装置が記録モードか否かを判定するモード判定手段をさらに有し、
前記モード判定手段により前記撮像装置が記録モードであると判定し、前記近接判定手段によりユーザが前記ファインダを覗いていないと判定された場合には、前記輝度制御手段が前記第一の輝度から前記第二の輝度へ段階的に変えることを特徴とする請求項１に記載の撮像装置。
【請求項３】
前記近接判定手段の判定結果により前記ファインダに対してＯＳＤを表示するか否かを制御するＯＳＤ制御手段をさらに有し、
前記近接判定手段によりユーザが前記ファインダを覗いていないと判定された場合には、前記ＯＳＤ制御手段が前記ファインダに対してＯＳＤを非表示にすることを特徴とする請求項１に記載の撮像装置。
【請求項４】
接眼可能なファインダと、
前記ファインダに物体が近付いたことを検出するための近接検出手段と、
前記近接検出手段により、ユーザが前記ファインダを覗いているか否かを判定する近接判定手段と、
前記ファインダの近傍に配置され、照射される外光の照度を検出する照度検出手段と、
前記照度検出手段の検出した照度が十分に明るいと判定するための所定の閾値を超えたか否かを判定する照度判定手段と、
前記ファインダの輝度を制御する輝度制御手段と
を有し、
前記輝度制御手段は、前記近接判定手段によりユーザが前記ファインダを覗いていないと判定された場合には、前記照度検出手段により検出された照度に応じて前記ファインダの輝度を可変し、前記照度検出手段で前記閾値を超えたと判定された場合には、前記ファインダの輝度を第一の輝度より低い輝度となる第二の輝度に制御することを特徴とする撮像装置。
【発明の詳細な説明】
【技術分野】
【０００１】
本発明は、撮像装置などに関する。
【背景技術】
【０００２】
デジタルカメラ、デジタルビデオカメラ等の撮像装置の中には、撮像画像を確認するために電子ビューファインダ（以下、ＥＶＦ）を有するものがある。ＥＶＦ用の表示パネルには、液晶表示パネルまたは有機ＥＬパネルが一般的に使用されている。
【０００３】
また、撮像装置においては、ユーザがＥＶＦを使用しているか否かを判定するために接眼センサを有するものが知られている。例えば、接眼センサによってユーザがＥＶＦを覗いていないことが検出された場合は、不要な電力消費を回避するため、ＥＶＦを消灯するようにしている。また、有機ＥＬパネルは、時間の経過に従って輝度が劣化することが知られている。有機ＥＬの輝度劣化は、図１９に示すように、輝度の２乗に比例している。そのため、ユーザがＥＶＦを使用していない場合は、有機ＥＬパネルを点灯させないように制御することが望ましい。
【０００４】
特許文献１には、ＥＶＦを使用していなければ消灯させ、ボタン制御で点灯させる方法が記載されている。
【先行技術文献】
【特許文献】
【０００５】
【特許文献１】特開２０１２−１５９８４６号公報
【発明の概要】
【発明が解決しようとする課題】
【０００６】
しかしながら、特許文献１に記載されている方法では、ＥＶＦを消灯させてしまうと、ユーザが離れた位置から撮像装置が起動済みであることを確認することが難しくなることが想定される。
【０００７】
そこで、本発明は、表示パネルの輝度劣化を抑えつつ、離れた位置から撮像装置が起動済みであることを確認できるようにすることを目的とする。
【課題を解決するための手段】
【０００８】
上記の目的を達成するために、本発明に係る撮像装置は、
接眼可能なファインダと、前記ファインダに物体が近付いたことを検出するための近接検出手段と、前記近接検出手段により、ユーザが前記ファインダを覗いているか否かを判定する近接判定手段と、前記ファインダに輝度を反映させるファインダ輝度制御手段とを有し、前記近接判定手段によりユーザが前記ファインダを覗いていないと判定された場合には、第一の輝度より低い輝度となる第二の輝度を前記輝度制御手段が前記ファインダに反映させることを特徴とする。
【０００９】
また、本発明に係る撮像装置は、
接眼可能なファインダと、前記ファインダに物体が近付いたことを検出するための近接検出手段と、前記近接検出手段により、ユーザが前記ファインダを覗いているか否かを判定する近接判定手段と、前記ファインダの近傍に配置され、照射される外光の照度を検出する照度検出手段と、前記照度検出手段の検出した照度が十分に明るいと判定するための所定の閾値を超えたか否かを判定する照度判定手段と、前記ファインダの輝度を制御する輝度制御手段とを有し、前記輝度制御手段は、前記近接判定手段によりユーザが前記ファインダを覗いていないと判定された場合には、前記照度検出手段により検出された照度に応じて前記ファインダの輝度を可変し、前記照度検出手段で前記閾値を超えたと判定された場合には、前記ファインダの輝度を第一の輝度より低い輝度となる第二の輝度に制御することを特徴とする。
【発明の効果】
【００１０】
本発明に係る撮像装置によれば、表示パネルの輝度劣化を抑えつつ、離れた位置から撮像装置が起動済みであることを確認することができる。
【図面の簡単な説明】
【００１１】
【図１】実施形態１における撮像装置１００の構成要素を説明するためのブロック図である。
【図２】ＥＶＦ１１０および接眼センサ１１１の位置関係の一例を説明するための図である。
【図３】実施形態１における接眼検出によるＥＶＦ制御例を説明するためのフローチャートである。
【図４】実施形態１における輝度低下制御と消灯制御を説明するための図である。
【図５】実施形態２における撮像装置１００の構成要素を説明するためのブロック図である。
【図６】実施形態２における接眼検出によるＥＶＦ制御例を説明するためのフローチャートである。
【図７】実施形態２における段階的な輝度低下制御と消灯制御を説明するための図である。
【図８】実施形態３における撮像装置１００の構成要素を説明するためのブロック図である。
【図９】実施形態３における接眼検出によるＥＶＦ制御例を説明するためのフローチャートである。
【図１０】実施形態３におけるＯＳＤ制御、輝度低下制御および消灯制御を説明するための図である。
【図１１】実施形態４における撮像装置１００の構成要素を説明するためのブロック図である。
【図１２】実施形態４における接眼検出によるＥＶＦ制御例を説明するためのフローチャートである。
【図１３】実施形態４における表示縮小制御、輝度低下制御および消灯制御を説明するための図である。
【図１４】実施形態５における撮像装置１００の構成要素を説明するためのブロック図である。
【図１５】実施形態５における接眼検出と照度検出によるＥＶＦ制御例を説明するためのフローチャートである。
【図１６】ＥＶＦ１１０、接眼センサ１１１および照度センサ１４０１の位置関係の一例を説明するための図である。
【図１７】照度に応じて輝度が変化する例を示す図である。
【図１８】照度に応じて輝度が変化する例を示す図である。
【図１９】有機ＥＬの表示輝度、輝度劣化率および表示時間の関係の一例を説明するための図である。
【発明を実施するための形態】
【００１２】
以下、図面を参照して本発明の実施形態を説明する。ただし、本発明は以下の実施形態に限定されるものではない。
【００１３】
［実施形態１］
図１は、実施形態１における撮像装置１００の構成要素を説明するためのブロック図である。
【００１４】
撮像装置１００は、図１に示すように、少なくとも、撮像部１０１、デジタル信号処理部１０２、操作部１０３、タイマー部１０４、電源スイッチ部１０５、ＥＶＦ制御部１０６、システム制御部１０７、メモリ部１０８および表示部１０９を有し、撮像画像または再生画像を表示部１０９に表示する。表示部１０９は、例えば、撮像装置１００から取り外し可能である。また、撮像装置１００は、接眼センサ１１１から読み出した値を元に、ＥＶＦ１１０の制御を行うことができる。
【００１５】
撮像部１０１は、光学像を電気信号に変換する撮像素子と、撮像素子からの電気信号をデジタル化するＡ／Ｄ変換器とを有する。
【００１６】
デジタル信号処理部１０２は、所定の画像処理（画素補間、リサイズ処理、色変換処理など）を行い、撮像部１０１からのデジタルデータから画像データを生成する。デジタル信号処理部１０２は、撮像部１０１からのデジタルデータを用いて所定の演算処理を行い、所定の演算処理により得られた演算結果をシステム制御部１０７に供給する。
【００１７】
システム制御部１０７は、所定の演算処理により得られた演算結果に基づき、露光制御および測距制御を行う。これにより、ＴＴＬ（スルー・ザ・レンズ）方式のＡＦ（オートフォーカス）処理、ＡＥ（自動露出）処理御およびＥＦ（フラッシュプリ発光）処理が行われる。
【００１８】
操作部１０３の各操作部材は、機能ボタンとしては、例えばメニューボタン、上下左右の４方向ボタンやＳＥＴボタン等がある。メニューボタンが押されると各種の設定可能なメニュー画面が表示部１０９に表示される。ユーザは、表示部１０９に表示されたメニュー画面と、上下左右の４方向ボタンで選択し、ＳＥＴボタンを用いて決定できる。尚、操作部１０３は、タッチパネルであってもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００１９】
タイマー部１０４は、システム制御部１０７から接眼センサ１１１の読み取り値が閾値を超えているかを示す情報を受け取り、閾値を超えていない場合には接眼センサ１１１の接眼無検出時間を測定する。測定した接眼センサ１１１の接眼無検出時間をシステム制御部１０７に送る。
【００２０】
電源スイッチ１０５は、撮像装置１００の電源がＯＮされているかを検出手段により検出し、判定結果をシステム制御部１０７に送る。検出手段は、例えばメカスイッチである。
【００２１】
ＥＶＦ制御部１０６は、システム制御部１０７からＥＶＦ１１０を点灯または消灯制御するかを示す情報と輝度の設定値を受け取り、ＥＶＦ１１０を制御する。
【００２２】
システム制御部１０７は、撮像装置１００の各構成要素の制御および演算処理を司る中央処理装置である。システム制御部１０７は、接眼センサ１１１から接眼センサ１１１の読み取り値を受け取り、設定した閾値を超えているか否かを判定する。閾値を超えていない場合にはタイマー部１０４から接眼センサ１１１の接眼無検出時間を受け取り、接眼センサ１１１の接眼無検出時間に応じてメモリ部１０８から輝度設定値を読み出し、ＥＶＦ制御部１０６に送る。さらに、接眼センサ１１１の接眼無検出時間が一定時間以上経過している場合には、ＥＶＦ制御部１０６にＥＶＦ１１０を消灯制御する情報を送る。センサ読み取り値が閾値を超えている場合には、タイマー部１０４で測定している接眼センサ１１１の接眼無検出時間をリセットし、メモリ部１０８から通常輝度設定値を読み出して、ＥＶＦ１１０を通常輝度で点灯制御させる情報をＥＶＦ制御部１０６に送る。
【００２３】
メモリ部１０８は、例えばフラッシュメモリであり、ＥＶＦ１１０を点灯させる場合の通常輝度の設定値と、接眼センサ１１１が無検出状態の場合にＥＶＦ１１０の輝度を下げるための低輝度設定値とを格納している。低輝度設定値はユーザがＥＶＦ１１０を使用していない場合に、遠くから撮像装置１００の起動が分かる輝度設定値である。
【００２４】
表示部１０９は、ＥＶＦ１１０および接眼センサ１１１を有し、撮像装置１００からの画像データを表示する。また、接眼センサ１１１の読み取り値を撮像装置１００に送る。
【００２５】
ＥＶＦ１１０は、撮像画像または再生画像を表示可能な表示手段であり、例えば有機ＥＬパネルまたは液晶パネルである。
【００２６】
接眼センサ１１１は、物体が近付いたことを検出するセンサである。接眼センサ１１１は、赤外発光素子と受光素子で構成される。赤外発光素子は、赤外発光レンズ窓より所定の光量の赤外光を照射する。赤外発光レンズ窓より照射された赤外光が被検出物体で反射し、その反射分散した赤外光を受光レンズ窓で集光し、受光素子で光電変換を行う。受光素子で光電変換された電圧値がシステム制御部１０７に送られ、システム制御部１０７では、その電圧値に対応した被検出物体との距離を計算する。接眼センサ１１１は、ユーザがＥＶＦ１１０を覗きこんだ場合には通常輝度で点灯し、ユーザがＥＶＦ１１０を覗きこんでいない場合には接眼センサ１１１の接眼無検出時間によって低輝度で点灯または消灯するために設けられたものであり、図２に示すように、ＥＶＦ１１０の近傍に設置した構成とするのが望ましい。
【００２７】
次に、図３のフローチャートを参照して、接眼センサ１１１の接眼無検出時間に応じて輝度低下制御および消灯制御を行う例を説明する。
【００２８】
ステップＳ３０１において、システム制御部１０７は、電源スイッチ部１０５から判定結果を受け取り、撮像装置１００の電源がＯＮされているか否かを判定する。撮像装置１００の電源がＯＮされている場合にはステップＳ３０２に進み、撮像装置１００の電源がＯＮされていない場合にはフローチャートが終了する。
【００２９】
ステップＳ３０２において、システム制御部１０７は、接眼センサ１１１から接眼センサ１１１の読み取り値を受け取り、受け取った読み取り値が閾値を超えているか否かを判定する。受け取った読み取り値が閾値を超えていない場合にはステップＳ３０３に進み、受け取った読み取り値が閾値を超えている場合にはステップＳ３０９に進む。
【００３０】
ステップＳ３０３において、システム制御部１０７は、ＥＶＦ１１０を点灯させているか否かを判定する。ＥＶＦ１１０を点灯させている場合にはステップＳ３０４に進み、ＥＶＦ１１０を消灯させている場合にはステップＳ３０２に進む。
【００３１】
ステップＳ３０４において、システム制御部１０７は、タイマー部１０４が測定している接眼センサ１１１の接眼無検出時間をタイマー部１０４から受け取り、ステップＳ３０５に進む。
【００３２】
ステップＳ３０５において、システム制御部１０７は、タイマー部１０４から接眼センサ１１１の接眼無検出時間を受け取り、接眼センサ１１１の接眼無検出時間が一定時間、例えば３０秒を超えてないか否かを判定する。接眼センサ１１１の接眼無検出時間が３０秒を超えていた場合にはステップＳ３０６に進み、接眼センサ１１１の接眼無検出時間が３０秒を超えていない場合にはステップＳ３０２に進む。
【００３３】
ステップＳ３０６において、システム制御部１０７は、接眼センサ１１１の接眼無検出時間がステップＳ３０５の場合に判定した時間よりも長い一定時間、例えば３００秒を超えてないか否かを判定する。接眼センサ１１１の接眼無検出時間が３００秒を超えていた場合にはステップＳ３０７に進み、接眼センサ１１１の接眼無検出時間が３００秒を超えていない場合にはステップＳ３０８に進む。
【００３４】
ステップＳ３０７において、システム制御部１０７は、ＥＶＦ制御部１０６に消灯制御を行わせるための情報をＥＶＦ制御部１０６に送り、ステップＳ３０２に進む。これにより、ＥＶＦ制御部１０６は、ＥＶＦ１１０に対して消灯制御を行う。
【００３５】
ステップＳ３０８において、システム制御部１０７は、メモリ部１０８から低輝度設定値を読み出してＥＶＦ制御部１０６に送り、ステップＳ３１３に進む。
【００３６】
ステップＳ３０９において、システム制御部１０７は、メモリ部１０８から通常輝度設定値を読み出してＥＶＦ制御部１０６に送り、ステップＳ３１０に進む。
【００３７】
ステップＳ３１０において、システム制御部１０７は、ＥＶＦ１１０を点灯させているか否かを判定する。ＥＶＦ１１０を点灯させている場合にはステップＳ３１２に進み、ＥＶＦ１１０を消灯させている場合にはステップＳ３１１に進む。
【００３８】
ステップＳ３１１において、システム制御部１０７は、ＥＶＦ制御部１０６に点灯制御を行わせるための情報と通常輝度設定値とＥＶＦ制御部１０６に送り、ステップＳ３１２に進む。これにより、ＥＶＦ制御部１０６は、ＥＶＦ１１０に対して点灯制御を行う。
【００３９】
ステップＳ３１２において、システム制御部１０７は、タイマー部１０４が測定している接眼センサ１１１の接眼無検出時間をリセットすることをタイマー部１０４に行わせ、ステップＳ３１３に進む。
【００４０】
ステップＳ３１３において、システム制御部１０７は、輝度設定値をＥＶＦ制御部１０６に送り、ステップＳ３０２に進む。これにより、ＥＶＦ制御部１０６は、システム制御部１０７からの輝度設定値によりＥＶＦ１１０の輝度設定を行う。
【００４１】
このように、実施形態１における撮像装置１００によれば、接眼センサ１１１の接眼無検出時間に応じて図４のような輝度低下制御および消灯制御を行うことができるので、無駄な電力の消費を防ぎ、有機ＥＬパネルの場合には輝度劣化も抑えることができる。また、ユーザがＥＶＦに接眼していない場合にも、一定時間は輝度が低下しているだけなので離れた位置から撮像装置１００が起動済みであることを確認することができる。
【００４２】
実施形態１では、撮像装置１００の起動時にＥＶＦ１１０が消灯した状態で動作を開始しているが、ＥＶＦ１１０は撮像装置１００の起動と同時に点灯した状態で動作を開始してもよい。
【００４３】
また、実施形態１では、接眼センサ１１１の接眼無検出時間が３０秒以上で輝度低下制御を行い、接眼センサ１１１の接眼無検出時間が３００秒以上で消灯制御を行っているが、輝度低下制御および消灯制御までの時間は３０秒および３００秒に限るものではない。
【００４４】
［実施形態２］
次に、実施形態２における撮像装置およびその制御方法を説明する。
【００４５】
実施形態２では、接眼センサ１１１の接眼無検出時間に応じて輝度低下制御と消灯制御とを行う場合に、輝度低下制御の方法を撮像装置１００の動作モードによって制御する例を説明する。
【００４６】
実施形態２の撮像装置１００の構成は、実施形態１とほぼ同一であるので、同一の構成要素については同一の符号を用いることでその説明を省略する。実施形態２では、実施形態１と異なる箇所を詳細に説明する。
【００４７】
図５は、実施形態２における撮像装置１００の構成要素を説明するためのブロック図である。実施形態１と異なる点は、モード判定部５０１を追加し、撮像装置１００の動作モードが記録モードである期間に輝度低下制御を段階的に行えるようにした点である。
【００４８】
モード判定部５０１は、撮像装置１００の動作モードが記録モードか否かを判定し、判定結果をシステム制御部１０７に送る。
【００４９】
メモリ部１０８は、例えばフラッシュメモリであり、ＥＶＦ１１０を点灯させる場合の通常輝度の設定値と、接眼センサ１１１が無検出状態の場合にＥＶＦ１１０の輝度を下げるための低輝度設定値とを格納している。さらに、メモリ部１０８は、通常輝度設定値と、段階的に異なる複数の低輝度設定値とを格納している。
【００５０】
次に、図６のフローチャートを参照して、接眼センサ１１１の接眼無検出時間と撮像装置１００の動作モードとに応じて輝度低下制御および消灯制御を行う例を説明する。
【００５１】
ステップＳ６０１〜ステップＳ６０５で行われる処理は、図３のステップＳ３０１〜ステップＳ３０５で行われる処理と同様であるので、それらの説明を省略する。
【００５２】
ステップＳ６０６において、システム制御部１０７は、モード判定部５０１から判定結果を受け取り、撮像装置１００の動作モードが記録モードであるか否かを判定する。撮像装置１００の動作モードが記録モードの場合にはステップＳ６０９に進み、撮像装置１００の動作モードが記録モードではない場合にはステップＳ６０７に進む。
【００５３】
ステップＳ６０７〜ステップＳ６０８で行われる処理は、図３のステップＳ３０６〜ステップＳ３０７で行われる処理と同様であるので、それらの説明を省略する。
【００５４】
ステップＳ６０９において、システム制御部１０７は、タイマー部１０４から接眼センサ１１１の接眼無検出時間を受け取り、接眼センサ１１１の接眼無検出時間が３０秒〜５９秒の場合はステップＳ６１０に進み、接眼センサ１１１の接眼無検出時間が６０秒〜８９秒の場合はステップＳ６１１に進み、・・・、接眼センサ１１１の接眼無検出時間が２７０秒以上の場合はステップＳ６１８に進む。
【００５５】
ステップＳ６１０〜ステップＳ６１８において、システム制御部１０７は、接眼センサ１１１の接眼無検出時間に応じた輝度設定値をメモリ部１０８から読み出してＥＶＦ制御部１０６に送り、ステップＳ６２３に進む。システム制御部１０７がメモリ部１０８から読み出す輝度設定値は、通常輝度設定値と低輝度設定値を含む２つの輝度設定値の間の輝度設定値であり、接眼センサ１１１の接眼無検出時間が長くなるほど輝度設定値は段階的に低くなる。
【００５６】
ステップＳ６１９〜ステップＳ６２３で行われる処理は、図３のステップＳ３０９〜ステップＳ３１３で行われる処理と同様であるので、それらの説明を省略する。
【００５７】
このように、実施形態２における撮像装置１００によれば、接眼センサ１１１の接眼無検出時間に応じて輝度低下制御および消灯制御を行うことができるので、無駄な電力の消費を防ぎ、有機ＥＬパネルの場合には輝度劣化も抑えることができる。また、図７のように、撮像装置１００の動作モードが記録モードである期間に段階的に輝度低下制御を行うことで、ユーザが記録モード時の画像の変化と間違えることなく輝度低下制御を行うことができる。さらに、ユーザがＥＶＦを接眼していない場合にも、一定時間は輝度が低下しているだけなので離れた位置からでも撮像装置１００が起動済みであることを確認することができる。
【００５８】
実施形態２では、撮像装置１００の起動時にＥＶＦ１１０が消灯した状態で動作を開始しているが、ＥＶＦ１１０は撮像装置１００の起動と同時に点灯した状態で動作を開始してもよい。
【００５９】
また、実施形態２では、輝度設定値を段階的に３０秒毎に９段階で下げているがこれに限るものではない。段階数を９よりも増加または減少させてもよいし、次の段階に行くまでの時間を３０秒以外の時間に変更してもよい。
【００６０】
さらに、実施形態２では、撮像装置１００の動作モードが記録モードである期間に段階的に輝度低下制御を行っているが、記録モード以外の動作モードである場合に段階的に輝度低下制御を行ってもよい。例えば、スタンバイモードまたは再生モードである場合に段階的に輝度低下制御を行ってもよい。
【００６１】
［実施形態３］
次に、実施形態３における撮像装置およびその制御方法を説明する。
【００６２】
実施形態３では、接眼センサ１１１の接眼無検出時間に応じてＯＳＤ制御、輝度低下制御および消灯制御を行う例を説明する。
【００６３】
実施形態３の撮像装置１００の構成は、実施形態１とほぼ同一であるので、同一の構成要素については同一の符号を用いることでその説明を省略する。実施形態３では、実施形態１と異なる箇所を詳細に説明する。
【００６４】
図８は、実施形態３における撮像装置１００の構成要素を説明するためのブロック図である。実施形態１と異なる点は、ＯＳＤ制御部８０１を追加し、接眼センサ１１１の接眼無検出時間に応じてＯＳＤの表示制御を行えるようにした点である。
【００６５】
ＯＳＤ制御部８０１は、ＯＳＤの表示または非表示を示す情報をシステム制御部１０７から受け取り、ＯＳＤの表示制御を行う。
【００６６】
次に、図９のフローチャートを参照して、接眼センサ１１１の接眼無検出時間に応じてＯＳＤ制御、輝度低下制御および消灯制御を行う例を説明する。
【００６７】
ステップＳ９０１〜ステップＳ９０５で行われる処理は、図３のステップＳ３０１〜ステップＳ３０５で行われる処理と同様であるので、それらの説明を省略する。
【００６８】
ステップＳ９０６において、システム制御部１０７は、タイマー部１０４から接眼センサ１１１の接眼無検出時間を受け取り、接眼センサ１１１の接眼無検出時間が一定時間、例えば６０秒を超えてないか否かを判定する。接眼センサ１１１の接眼無検出時間が６０秒を超えていた場合にはステップＳ６０９に進み、接眼センサ１１１の接眼無検出時間が６０秒を超えていない場合にはステップＳ９０７に進む。
【００６９】
ステップＳ９０７において、システム制御部１０７は、ＥＶＦ１１０にＯＳＤが表示されているか否かを判定する。ＥＶＦ１１０にＯＳＤが表示されている場合にはステップＳ９０８に進み、ＥＶＦ１１０にＯＳＤが表示されていない場合にはステップＳ９０２に進む。
【００７０】
ステップＳ９０８において、システム制御部１０７は、ＯＳＤ制御部８０１にＯＳＤの非表示制御を行わせるための情報をＯＳＤ制御部８０１に送り、ステップＳ９０２に進む。これにより、ＯＳＤ制御部８０１は、ＥＶＦ１１０に表示するＯＳＤを非表示にする制御を行う。
【００７１】
ステップＳ９０９〜ステップＳ９１４で行われる処理は、図３のステップＳ３０６〜ステップＳ３１１で行われる処理と同様であるので、それらの説明を省略する。
【００７２】
ステップＳ９１５において、システム制御部１０７は、ＥＶＦ１１０にＯＳＤが表示されているか否かを判定する。ＥＶＦ１１０にＯＳＤが表示されている場合にはステップＳ９１７に進み、ＥＶＦ１１０にＯＳＤが表示されていない場合にはステップＳ９１６に進む。
【００７３】
ステップＳ９１６において、システム制御部１０７は、ＯＳＤ制御部８０１にＯＳＤの表示制御を行わせるための情報をＯＳＤ制御部８０１に送り、ステップＳ９１７に進む。これにより、ＯＳＤ制御部８０１は、ＥＶＦ１１０に表示するＯＳＤを表示する制御を行う。
【００７４】
ステップＳ９１７〜ステップＳ９１８で行われる処理は、図３のステップＳ３１２〜ステップＳ３１３で行われる処理と同様であるので、それらの説明を省略する。
【００７５】
このように、実施形態３における撮像装置１００によれば、接眼センサ１１１の接眼無検出時間に応じてＯＳＤ制御、輝度低下制御および消灯制御を行うことができるので、無駄な電力の消費を防ぎ、有機ＥＬパネルの場合には輝度劣化も抑えることができる。また、図１０のように、有機ＥＬパネルで輝度劣化が起きやすいＯＳＤを最初に非表示にすることでＯＳＤ表示部分の輝度劣化を抑えることができる。また、ユーザがＥＶＦに接眼していない場合にも、一定時間はＯＳＤが非表示になり、次にＯＳＤが非表示の状態で輝度が低下しているだけなので離れた位置からでも撮像装置１００が起動済みであることを確認することができる。
【００７６】
実施形態３では、撮像装置１００の起動時にＥＶＦ１１０が消灯した状態で動作を開始しているが、ＥＶＦ１１０は撮像装置１００の起動と同時に点灯した状態で動作を開始してもよい。
【００７７】
また、実施形態３では、接眼センサ１１１の接眼無検出時間が３０秒以上でＯＳＤ非表示制御を行い、接眼センサ１１１の接眼無検出時間が６０秒以上で輝度低下制御を行い、接眼センサ１１１の接眼無検出時間が３００秒以上で消灯制御を行っているが、３０秒、６０秒および３００秒の少なくとも一つを他の時間に変更してもよい。
【００７８】
［実施形態４］
次に、実施形態４における撮像装置およびその制御方法を説明する。
【００７９】
実施形態４では、接眼センサ１１１の接眼無検出時間に応じて表示画像縮小制御、輝度低下制御および消灯制御を行う例を説明する。
【００８０】
実施形態４の撮像装置１００の構成は、実施形態１とほぼ同一であるので、同一の構成要素については同一の符号を用いることでその説明を省略する。実施形態４では、実施形態１と異なる箇所を詳細に説明する。
【００８１】
図１１は、実施形態４における撮像装置１００の構成要素を説明するためのブロック図である。実施形態１と異なる点は、表示画像縮小判定部１１０１を追加した点である。実施形態４では、表示画像縮小判定部１１０１を追加することにより、接眼センサ１１１の接眼無検出時間に応じてレンズで蹴られて見えない部分を黒表示し、見える部分の大きさに表示画像を縮小することができる。
【００８２】
表示画像縮小判定部１１０１は、システム制御部１０７から接眼センサ１１１の接眼無検出時間の情報を受け取り、ＥＶＦ制御部１０６に対して表示画像縮小制御を行うか否かを示す情報を送る。
【００８３】
ＥＶＦ制御部１０６は、ＥＶＦ１１０を点灯または消灯制御するかを示す情報と輝度の設定値とをシステム制御部１０７から受け取り、ＥＶＦ１１０を制御する。また、ＥＶＦ制御部１０６は、表示画像を縮小するか否かを示す情報を表示画像縮小判定部１１０１から受け取り、表示画像の大きさを制御する。
【００８４】
次に、図１２のフローチャートを参照して、接眼センサ１１１の接眼無検出時間に応じて表示画像縮小制御、輝度低下制御および消灯制御を行う例を説明する。
【００８５】
ステップＳ１２０１〜ステップＳ１２０６で行われる処理は、図９のステップＳ９０１〜ステップＳ９０６で行われる処理と同様であるので、それらの説明を省略する。
【００８６】
ステップＳ１２０７において、システム制御部１０７は、ＥＶＦ１１０に表示画像が全画面表示されているか否かを判定する。表示画像が全画面表示されている場合にはステップＳ１２０８に進み、全画面表示がされていない場合にはステップＳ１２０２に進む。
【００８７】
ステップＳ１２０８において、ＥＶＦ制御部１０６は、表示画像縮小制御を行うことを示す情報を表示画像縮小判定部１１０１から受け取り、図１３のようにＥＶＦ１１０に表示する画像をレンズで蹴られる部分を黒表示にして表示画像を縮小表示する。
【００８８】
ステップＳ１２０９〜ステップＳ１２１４で行われる処理は、図３のステップＳ３０６〜ステップＳ３１１で行われる処理と同様であるので、それらの説明を省略する。
【００８９】
ステップＳ１２１５において、システム制御部１０７は、ＥＶＦ１１０に表示される画像が全画面表示されているか否かを判定する。ＥＶＦ１１０に表示される画像が全画面表示されている場合にはステップＳ１２１７に進み、ＥＶＦ１１０に表示される画像が全画面表示されていない場合にはステップＳ１２１６に進む。
【００９０】
ステップＳ１２１６において、ＥＶＦ制御部１０６は、表示画像縮小判定部１１０１から表示画像縮小制御を行わないことを示す情報を受け取り、図１３のように、ＥＶＦ１１０に表示される画像を全画面表示にする。
【００９１】
このように、実施形態４における撮像装置１００によれば、接眼センサ１１１の接眼無検出時間に応じて表示画像縮小制御、輝度低下制御および消灯制御を行うことができるので、無駄な電力の消費を防ぎ、有機ＥＬパネルの場合には輝度劣化も抑えることができる。また、図１３のように、レンズで蹴られる画角は黒表示にして、見えている部分に表示する画像を縮小表示することで、有機ＥＬパネルで輝度劣化が起きやすいＯＳＤの位置をずらし、輝度劣化を抑えることができる。また、ユーザがＥＶＦに接眼していない場合にも、一定時間は表示画像が縮小表示され、次に表示画像が縮小された状態で輝度が低下しているだけなので離れた位置からでも撮像装置１００が起動済みであることを確認することができる。
【００９２】
実施形態４では、撮像装置１００の起動時にＥＶＦ１１０が消灯した状態で動作を開始しているが、ＥＶＦ１１０は撮像装置１００の起動と同時に点灯した状態で動作を開始してもよい。
【００９３】
また、実施形態４では、接眼センサ１１１の接眼無検出時間が３０秒以上で表示画像縮小制御を行い、接眼センサ１１１の接眼無検出時間が６０秒以上で輝度低下制御を行い、接眼センサ１１１の接眼無検出時間が３００秒以上で消灯制御を行っているが、３０秒、６０秒および３００秒の少なくとも一つを他の時間に変更してもよい。
【００９４】
［実施形態５］
次に、実施形態５における撮像装置およびその制御方法を説明する。
【００９５】
実施形態５では、接眼センサ１１１の接眼無検出時間と照度センサ１４０１の読み取り値とに応じて、輝度低下制御および消灯制御を行う例を説明する。
【００９６】
実施形態５の撮像装置１００の構成は、実施形態１とほぼ同一であるので、同一の構成要素については同一の符号を用いることでその説明を省略する。実施形態５では、実施形態１と異なる箇所を詳細に説明する。
【００９７】
図１４は、実施形態５における撮像装置１００の構成要素を説明するためのブロック図である。実施形態１と異なる点は、照度センサ１４０１を追加した点である。実施形態５では、照度センサ１４０１を追加することにより、接眼センサ１１１の接眼無検出時間に応じて輝度低下制御を行う場合の輝度設定値を、照度センサ１４０１からの読み取り値で環境に応じた値をメモリ部１０８から読み出すことができる。
【００９８】
照度センサ１４０１は、周囲の照度を検出可能である。例えば、図１６に示すようにＥＶＦ１１０の近傍に配置される。照度センサ１４０１で検出された周囲照度をシステム制御部１０７へ送る。
【００９９】
システム制御部１０７では、照度に応じてＥＶＦ１１０の輝度低下制御時の輝度をメモリ部１０８から読み出し、ＥＶＦ制御部１０６に送る。このようにして、周囲照度に応じて周囲照度が高ければ輝度設定値を高くし、周囲照度が低ければ輝度設定値を低くして輝度低下制御を行う。また、システム制御部１０７は、照度センサ１４０１からの読み取り値が十分に明るい一定値を超えていたら、輝度を明るくしてもユーザが離れた位置から撮像装置１００が起動済みであることを確認できないと判定し、低輝度設定値をメモリ部１０８から読み出し、ＥＶＦ制御部１０６に送る。
【０１００】
メモリ部１０８は、例えばフラッシュメモリであり、ＥＶＦ１１０を点灯させる場合の通常輝度の設定値と、接眼センサ１１１が無検出状態の場合にＥＶＦ１１０の輝度を下げるための低輝度設定値とを格納している。さらに、メモリ部１０８は、通常輝度設定値と、段階的に異なる複数の低輝度設定値とを格納している。
【０１０１】
次に、図１５のフローチャートを参照して、接眼センサ１１１の接眼無検出時間と照度センサ１４０１の読み取り値とに応じて、輝度低下制御および消灯制御を行う例を説明する。
【０１０２】
ステップＳ１５０１〜ステップＳ１５０５で行われる処理は、図３のステップＳ３０１〜ステップＳ３０５で行われる処理と同様であるので、それらの説明を省略する。
【０１０３】
ステップＳ１５０６において、システム制御部１０７は、照度センサ１４０１から照度センサ１４０１の読み取り値を受け取り、受け取った読み取り値が３００００ＬＵＸ以上か否かを判定する。受け取った読み取り値が３００００ＬＵＸ以上である場合には輝度を変更してもユーザが離れた位置から撮像装置１００が起動済みであることを確認できないため、ステップＳ１５０７に進む。受け取った読み取り値が３００００ＬＵＸ未満である場合にはステップＳ１５０９に進む。
【０１０４】
ステップＳ１５０７〜ステップＳ１５０８で行われる処理は、図３のステップＳ３０６〜ステップＳ３０７で行われる処理と同様であるので、それらの説明を省略する。
【０１０５】
ステップＳ１５０９において、システム制御部１０７は、照度センサ１４０１から照度センサ１４０１の読み取り値を受け取り、受け取った読み取り値が０〜４９９９ＬＵＸである場合にはステップＳ１５１５に進み、受け取った読み取り値が５０００〜９９９９ＬＵＸである場合にはステップＳ１５１４に進み、・・・、受け取った読み取り値が２００００〜２４９９９ＬＵＸである場合にはステップＳ１５１１に進み、受け取った読み取り値が２５０００〜２９９９９ＬＵＸである場合にはステップＳ１５１０に進む。
【０１０６】
ステップＳ１５１０〜ステップＳ１５１５において、システム制御部１０７は、照度センサ１４０１の読み取り値に応じた輝度設定値をメモリ部１０８から読み出してＥＶＦ制御部１０６に送り、ステップＳ１５２０に進む。図１７のように、照度センサ１４０１の読み取り値に応じてメモリ部１０８から読み出す輝度設定値は変化するが、３００００ＬＵＸを超える照度を読みとった場合には、ユーザが離れた位置からＥＶＦ１１０を見て撮像装置１００が起動済みであることを確認することは困難である。そのため、無駄な電力の消費を防ぎ、有機ＥＬパネルの場合には輝度劣化を抑えるため低輝度設定値を読み出す。図１８は、照度に応じて輝度が変化する例を示す図である。
【０１０７】
ステップＳ１５１６〜ステップＳ１５２０で行われる処理は、図３のステップＳ３０９〜ステップＳ３１３で行われる処理と同様であるので、それらの説明を省略する。
【０１０８】
このように、実施形態５における撮像装置によれば、接眼センサ１１１の接眼無検出時間と照度センサ１４０１の読み取り値とに応じて輝度低下制御および消灯制御を行うことができるので、無駄な電力の消費を防ぎ、有機ＥＬパネルの場合には輝度劣化も抑えることができる。また、周囲環境の照度に応じて輝度設定値を変えることで周囲環境の照度に関係なくユーザがＥＶＦに接眼していない場合にも、一定時間は輝度が低下しているだけなので離れた位置から撮像装置１００が起動済みであることを確認することができる。さらに、周囲環境の照度が一定値よりも明るい場合には輝度を上げてもユーザがＥＶＦを離れた位置から見て撮像装置１００が起動済みであることを確認することが困難なため、低輝度設定にすることで無駄な電力の消費を防ぎ、有機ＥＬパネルの場合には輝度劣化も抑えることができる。
【０１０９】
実施形態５では、撮像装置１００の起動時にＥＶＦ１１０が消灯した状態で動作を開始しているが、ＥＶＦ１１０は撮像装置１００の起動と同時に点灯した状態で動作を開始してもよい。
【０１１０】
また、実施形態５では、接眼センサ１１１の接眼無検出時間が３０秒以上で輝度低下制御を行い、接眼センサ１１１の接眼無検出時間が３００秒以上で消灯制御を行っているが、３０秒および３００秒の少なくとも一つを他の時間に変更してもよい。
【０１１１】
さらに、実施形態５では、照度センサ１４０１の読み取り値に応じて５０００ＬＵＸ毎に輝度設定値を段階的に変え、３００００ＬＵＸ以上で低輝度設定値としているがこれに限るものではない。輝度設定値の段階数は増やしてもよいし、減らしてもよい。次の段階に行くまでの読み取り値を他の値に変更してよい。低輝度設定値に輝度設定値を落とす読み取り値を他の値に変更してもよい。
【０１１２】
［実施形態６］
実施形態１〜５で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態６では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態６では、コンピュータＸを制御するためのプログラムであって、実施形態１〜５で説明した様々な機能、処理または方法を実現するためのプログラムを「プログラムＹ」と呼ぶ。
【０１１３】
実施形態１〜５で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態６におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態６におけるコンピュータ読み取り可能な記憶媒体は、ｎｏｎ−ｔｒａｎｓｉｔｏｒｙな記憶媒体である。
【０１１４】
なお、本発明の実施形態は上述の実施形態１、２、３、４、５または６に限定されるものではない。発明の要旨を逸脱しない範囲で変更または修正された実施形態１、２、３、４、５または６も本発明の実施形態に含まれる。
【符号の説明】
【０１１５】
１００  撮像装置、１０９  表示部
【図１】
2019075634.tif 000003
【図２】
2019075634.tif 000004
【図３】
2019075634.tif 000005
【図４】
2019075634.tif 000006
【図５】
2019075634.tif 000007
【図６】
2019075634.tif 000008
【図７】
2019075634.tif 000009
【図８】
2019075634.tif 000010
【図９】
2019075634.tif 000011
【図１０】
2019075634.tif 000012
【図１１】
2019075634.tif 000013
【図１２】
2019075634.tif 000014
【図１３】
2019075634.tif 000015
【図１４】
2019075634.tif 000016
【図１５】
2019075634.tif 000017
【図１６】
2019075634.tif 000018
【図１７】
2019075634.tif 000019
【図１８】
2019075634.tif 000020
【図１９】
2019075634.tif 000021